(57)【要約】      （修正有）【課題】利用者がオリジナルの楽曲をオルゴールで容易に作曲して演奏できる演奏用シートを提供する。【解決手段】シート本体部１０と、五線譜が印刷された印刷部とを含むオルゴールの演奏用シート１００であって、印刷部は、オルゴールのスターホイールの位置、及び数に対応した位置に印刷された水平線と、小節の位置を示し縦に印刷された小節線とを含んでおり、印刷部の、オルゴールの搬送方向における左右両端の小節線の横には、音階が印刷されている。【選択図】図４−１
0003187679.tif 000002
【実用新案登録請求の範囲】
【請求項１】
シート本体部と、五線譜が印刷された印刷部とを含むオルゴールの演奏用シートであって、
前記印刷部は、前記オルゴールのスターホイールの位置、及び数に対応した位置に印刷された水平線と、小節の位置を示し縦に印刷された小節線とを含んでおり、
前記印刷部の、前記オルゴールの搬送方向における左右両端の前記小節線の横には、音階が印刷されている
ことを特徴とするオルゴール演奏用シート。
【請求項２】
隣接する前記小節線の間隔が、３．７５ｍｍである
ことを特徴とする請求項１に記載のオルゴール演奏用シート。
【請求項３】
前記シート本体部は、前記オルゴールの搬送方向における長さが１２０ｍｍ、前記搬送方向と直交する長さが４１ｍｍ
であることを特徴とする請求項１又は２に記載のオルゴール演奏用シート。
【請求項４】
請求項３に記載のオルゴール演奏用シートが前記搬送方向に直交する方向で複数枚連結され、それぞれの前記演奏用シートの間には、切り取り用の破線が設けられている
ことを特徴とするはがき型オルゴール演奏用シート。
【請求項５】
前記演奏用シートには、それぞれ４小節が含まれており、
４枚の前記演奏用シートを含む
ことを特徴とする請求項４に記載のはがき型オルゴール演奏用シート。
【考案の詳細な説明】
【技術分野】
【０００１】
本考案は、オルゴール演奏用シートに関する。
【背景技術】
【０００２】
オルゴールとしては、電子式オルゴール、手巻き式オルゴールなど様々な種類のオルゴールが開発されている。電子式オルゴールにあっては、音楽データが記憶された記憶デバイスを入れ替えることで、１つのオルゴールで複数の楽曲を演奏することができるものがある。一方で、手動のオルゴールの場合、あらかじめ所定の楽曲を演奏するための機構がオルゴール自体に組み込まれており、１つのオルゴールで複数の楽曲を演奏することは困難であった。
【先行技術文献】
【特許文献】
【０００３】
【特許文献１】特開平１１−２９６１６５号公報
【特許文献２】特開２０１０−２７７０２７号広報
【考案の概要】
【考案が解決しようとする課題】
【０００４】
上記のような１つのオルゴール装置で、複数の楽曲を演奏することができる場合を想定したとすると、例えば予め楽曲にあわせてシートに孔を開口しておき、この孔とスターホイールのつめがひっかかりスターホイールが回転する。そして、回転したスターホイールに設けられた別のつめがくし歯をはじくことで楽曲が演奏されるものが想定される。しかしながら、この場合、一般的な消費者が入手できるのは、既存の楽曲毎に販売された演奏用のシートのみであり、例えば利用者が独自に楽曲を作成して、オルゴールで演奏したい場合等に対応したものは想定されていなかった。そこで、自由度の高い演奏用シートのあり方としては、利用者が五線譜が印刷されたシート状の用紙に自由に孔を開けてオルゴールで演奏可能なようにする必要があるが、作曲の知識のない一般のユーザーが演奏しやすい演奏用シートは提供されなかった。
【０００５】
本考案は、上記を鑑みてなされたものであり、利用者がオリジナルの楽曲をオルゴールで容易に作曲し、演奏可能な演奏用シートを容易に実現することを目的とする。
【課題を解決するための手段】
【０００６】
上述した課題を解決し、目的を達成するために、本考案はシート本体部と、五線譜が印刷された印刷部とを含むオルゴールの演奏用シートであって、前記印刷部は、前記オルゴールのスターホイールの位置、及び数に対応した位置に印刷された水平線と、小節の位置を示し縦に印刷された小節線と、を含んでおり、前記印刷部の、前記オルゴールの搬送方向における左右両端の前記小節線の横には、音階が印刷されていることを特徴とする。
【図面の簡単な説明】
【０００７】
【図１】図１は、オルゴール装置の斜視図である。
【図２】図２は、オルゴール装置の内側にあるシートを演奏する機構の構造を示す斜視図である。
【図３】図３は、オルゴール装置の側面図である。
【図４−１】図４−１は、オルゴール装置に使用する演奏用シートを示す図。
【図４−２】図４−２は、オルゴール装置に使用する演奏用シートを切り離した状態を示す図。
【図５−１】図５−１は、オルゴール装置に使用する演奏用シートに孔を開ける状態を示す図。
【図５−２】図５−２は、オルゴール装置に使用する演奏用シートに孔を開けた後の状態を示す図。
【図６−１】図６−１は、オルゴール装置に使用する文字テンプレートを示す図。
【図６−２】図６−２は、オルゴール装置に使用する文字テンプレートを切り離した状態を示す図。
【図７−１】図７−１は、オルゴール装置に使用する文字テンプレートを用いて演奏用シートに開口点を記載する示す図。
【図７−２】図７−２は、演奏用シートに記載した文字の開口点を示す図。
【図７−３】図７−３は、演奏用シートに記載した文字の開口点に孔を開けた状態を示す図。
【図７−４】図７−４は、演奏用シートに記載した文字の開口点に孔を開けた状態を示す図。
【考案を実施するための形態】
【０００８】  以下本考案を具体化した実施形態について図面を参照して、説明する。図１は、オルゴール装置の斜視図である。図２は、オルゴール装置の内側に設けられた演奏用シートを配置する台座部の状態を示す斜視図である。図３は、台座部の側面図である。図１に示されるように、オルゴール装置１は、カード型の演奏用シートを差し込んで使用するカード式オルゴールであり、例えば（公序良俗違反につき、不掲載）の１５弁式オルガニートである。オルゴール装置１は、半音を含まないドからドまでの１５音が演奏可能である。オルゴール装置１は、回転操作部２、第１回転軸６、第２回転軸５、台座部８を備えている。回転操作部２をまわすことで、回転操作部２の端部に設けられたギアの回転が、第１回転軸６、及び第２回転軸５へと伝達されて、それぞれの回転軸５、６が回転する。また、第２回転軸５には、第２回転軸５の回転とは同期しないスターホイール７が設けられている。
【０００９】
そして、回転操作部２の回転によって、台座部８の上に設置され、第１回転軸６、及び第２回転軸５の間に挿入された演奏用シート１０が送り出される。そして、演奏用シート１０に空けられた孔１１が、第１回転軸６に形成されたスターホイール７のツメと係合する。回転に応じて送り出された演奏用シート１０上の孔を、スターホイール７のツメが拾うことによりスターホール７が回転し、スターホイール７のツメがくし歯９をはじき、所定の音が奏でられる。なお、くし歯９は１５本形成され、スターホイール７もくし歯９の数と位置にあわせて１５個設置されている。スターホイールには、合計４つのツメが７ｍｍ間隔で付いており、紙の孔によって押し進められるツメの７ｍｍ後ろに位置するツメが、内部のくし歯９を弾き音が鳴る。よって同音を連続で鳴らす場合、同音上に来る孔と孔の間隔を７ｍｍ以上置かなければ、ツメが回転せず、音を鳴らすことができない。孔が来ない位置のツメは、推し進められることなく、待機状態である。
【００１０】
図４−１、図４−２は、演奏用シート１０を示す図である。演奏用シート１０は、１枚づつ作成されてもよいし、図４−１のように複数の演奏用シート１０がまとまった１枚の大きなシートとして作成されてもよい。この場合、各演奏用シート１０の間には、切り取り線が形成され、容易に切り離して使用できることが望ましい。五線譜が書かれた帯状の演奏用シート１０には、１５本の水平線と３．７５ｍｍ間隔の縦線（小節線）が印刷されている。１５本の水平線は、ちょうど各スターホイールの位置に来るように設計されており、水平線の真上に孔空けパンチで孔をあけると、音の鳴る位置に孔が来るようになっている。すなわち、水平線はスターホールの位置、及び数に対応して記載されている。
【００１１】
したがって、利用者は水平線と、小節線の位置から、鳴らしたい音に対応して孔を開けるべき開口点を把握することができ、利用者が容易に所望の音のメロディーに応じて、独自にオルゴールで演奏をすることができるようになる。
【００１２】
演奏用シート１０は、従来のものは幅４１ｍｍ  ｘ  長さ４８０ｍｍの１本の帯であり、丸めて置くなど保管方法が限定されていた。そこで本実施形態では巾１６４ｍｍ  ×  長さ１２０ｍｍのはがきの形態に形成している。このはがき形状の演奏用シート１００は、巾４１ｍｍ  ｘ  長さ１２０ｍｍの紙片が、３本の破線により４列繋がっている。
【００１３】
このような演奏用シート１０に図５−１に示されるように孔あけパンチ２０を用いて、所定の位置に孔を開けていく。孔あけパンチ２０の刃渡りは５５ｍｍであり、その間に演奏用シート１０を挟みこんだ状態で孔をあける。図５−２は演奏用シート１０の所望の位置に孔を開けた状態を示しており、孔は演奏したい音階を水平線の位置で指定し、小節の位置を小節線で指定することで、演奏したいメロディーに応じて利用者が自由に決定することができる。また、演奏用シート１０が２列以上繋がった状態では幅が８２ｍｍとなってしまうため、はさむことができず孔あけができない。したがって、孔を開ける際は、破線に沿って演奏用シート１０を１列ずつちぎって行う。これにより、演奏用シート１０は、保管する際は省スペースでありながらも、持ち運びが容易なものとなっている。
【００１４】
また、演奏用シート１０には、日本語表記の音階(ドレミファソラシド)を左右両端に記した。これにより、作曲作業の進行につれ、視線が右に進んでいくが、左側の開始地点に視線を戻さなくても音階が分かり、作業がスムーズに進められるようにした。すなわち、本実施形態の演奏用シート１０は、その長手方向の長さが１２０ｍｍであり、その両端に印字された音階が左右どちらからも一度に視認できることから、五線譜の位置の音階を把握しやすく、作曲に慣れていない利用者にあっても作曲作業を容易にすることができるようになる。また、４ｍｍ間隔の縦線(小節線)を３．７５ｍｍ間隔へと改良した。これにより、同音を連続で鳴らす間隔を短縮でき、また紙面における小節数を増やすことができ、一枚でより多くの音を作ることを可能にした。また、同音階上の連続音を鳴らす孔の間隔が７ｍｍ以上必要であることを踏まえ、縦線２本分＝７．５ｍｍを１拍と設定し、また４/４拍子を前提とした時、シート一列には４小節が収まり、シート四列(すなわち、はがき一枚)には１６小節が収まっている。このことが、ポップスやロックの曲を含め、４/４拍子における８小節や１６小節による構成がその大半を占めている、現代の多くの楽曲への対応を可能にした。
【００１５】
また、１５弁式オルガニートは、スターホイール間の間隔が２ｍｍであり、０．５ｍｍ程度の孔の上下位置の誤差で音が鳴らない場合がある、大変精密な楽器である。よって、五線譜はがきの製造方法においては、横線位置のズレを０．５ｍｍ以内に抑えることが必須であり、天地左右の印刷ズレが最も少ないオフセット印刷で行い、裁断も断栽機ではなく、裁断ズレが生じにくいトムソン型抜機に用紙を一枚ずつ手差しして断栽することによって仕上げることにより、これを量産可能にした。
【００１６】
また、演奏用シート１０の紙の厚さも条件があり、コピー用紙だと薄いためオルゴールを鳴らすことは不可能である。また、斤量２１０ｋｇ以上の紙を使用すると、オルゴールの歯車(プラスチック製)に大きな負荷がかかり、歯車が摩耗し故障の原因となる。よって、スターホイールのツメによる瑕疵で紙が破損しないような、紙製品としての堅牢性とオルゴールの物性面の両方を考慮し、斤量１６０ｋｇ〜２００ｋｇの紙を選択することが望ましい。
【００１７】
続いて、図６−１〜図６−２に演奏用シート１０に対応した文字テンプレートの概要を示す。文字テンプレート３０は、演奏用シート１０が４枚連なった演奏用シート１００と同一のサイズであり、少なくとも７０％以上の音が鳴るように配置された２ｍｍ径の孔で文字をかたどったシートである。この音の鳴る孔の比率は「あ〜ん」の各ひらがな、「Ａ〜Ｚ」のアルファベット、数字「０〜９」、及び句読点それぞれにおいて測定した比率である。文字ごとに音の鳴る比率は異なるが、上述のように文字としての意匠が維持される店と、文字と対応する音を鳴らすことができるということを考慮すると７０％の孔の音がなることが好ましい。ここで、設計として、過半数の孔が音を鳴らす機能を有するべく、タテ方向には孔の中心点が水平線のほぼ真上に位置するように、ヨコ方向には同音階に連続する孔が７ｍｍ以上の間隔をあけるように配置している。水平線上に孔が存在していてもスターホイール７のツメが設けられた間隔より７ｍｍより近接した連続した孔は、音を鳴らすことができない。また、設計の第二義として、文字としての視認性を高めるために、上記要件を満たさない位置への孔の配置を行っている。すなわち、設計の第一、ニ義に則った孔の配置により、過半数の孔が音を鳴らすように設計されている。文字は、縦の破線に沿って、一文字ずつちぎることができ、その１文字の文字紙片３１は、演奏用シート１０の縦巾４１ｍｍと同一であり、横幅は１８ｍｍである。
【００１８】
個々の孔の配置は、文字としての視認性と、過半数の孔が音を鳴らす位置にあるという、両方の要件を満たすよう設定されている。この文字紙片３１を、図７−１に示されるように、演奏用シート１０の上に高さを揃えて置き、孔位置を筆記具で五線譜に写し取り、図７−２、図７−３、及び図７−４に示されるように、写し取った後の印位置を孔あけパンチ２０で孔をあけることにより、好きな文字の孔で音を鳴らすことを可能にしている。
【００１９】  この文字テンプレート３０は、レーザーカット製法によって作成される。例えば、（公序良俗違反につき、不掲載）などの機器を用いて加工される。文字としての視認性を高める上では、丸孔と丸孔が１ｍｍ以下の間隔に密集することになる。一方、トムソン型では金型に設置する刃と刃の一番狭い間隔が２．５ｍｍとされているため、１ｍｍ以下の間隔で型抜きすることが出来ず、これを実現できない。一方、レーザー加工では金型を不要とし、１ｍｍ以下の間隔であっても加工が可能である。
【００２０】
また、用紙の選択にあたっては、孔に沿って鉛筆で丸をなぞる用途に対する物性上の耐性面から斤量１６０ｋｇ〜２００ｋｇ程度で、かつレーザー加工適正の良いすすが大量に発生しない非塗工紙が好ましい。
【００２１】
以上、本考案の好適な実施例について説明したが、本考案は、かかる実施形態に限定されず、その考案の趣旨を逸脱しない範囲で種々の変形実施が可能である。当業者であれば、実用新案登録請求の範囲に記載された技術的思想の範囲内において、各種の変更例又は修正例に想到しうることは明らかであり、それらについても当然に本考案の技術的範囲に属するものと了解される。
【符号の説明】
【００２２】
１  オルゴール装置
１０  演奏用シート
３０  文字テンプレート
【図１】
0003187679.tif 000003
【図２】
0003187679.tif 000004
【図３】
0003187679.tif 000005
【図４−１】
0003187679.tif 000006
【図４−２】
0003187679.tif 000007
【図５−１】
0003187679.tif 000008
【図５−２】
0003187679.tif 000009
【図６−１】
0003187679.tif 000010
【図６−２】
0003187679.tif 000011
【図７−１】
0003187679.tif 000012
【図７−２】
0003187679.tif 000013
【図７−３】
0003187679.tif 000014
【図７−４】
0003187679.tif 000015
【手続補正書】
【提出日】平成25年10月15日(2013.10.15)
【手続補正１】
【補正対象書類名】明細書
【補正対象項目名】０００８
【補正方法】変更
【補正の内容】
【０００８】
以下本考案を具体化した実施形態について図面を参照して、説明する。図１は、オルゴール装置の斜視図である。図２は、オルゴール装置の内側に設けられた演奏用シートを配置する台座部の状態を示す斜視図である。図３は、台座部の側面図である。図１に示されるように、オルゴール装置１は、カード型の演奏用シートを差し込んで使用するカード式オルゴールであり、例えば１５弁式オルガニートである。オルゴール装置１は、半音を含まないドからドまでの１５音が演奏可能である。オルゴール装置１は、回転操作部２、第１回転軸６、第２回転軸５、台座部８を備えている。回転操作部２をまわすことで、回転操作部２の端部に設けられたギアの回転が、第１回転軸６、及び第２回転軸５へと伝達されて、それぞれの回転軸５、６が回転する。また、第２回転軸５には、第２回転軸５の回転とは同期しないスターホイール７が設けられている。
【手続補正２】
【補正対象書類名】明細書
【補正対象項目名】００１９
【補正方法】変更
【補正の内容】
【００１９】
この文字テンプレート３０は、レーザーカット製法によって作成される。例えば、既存のレーザーカッターを用いて加工される。文字としての視認性を高める上では、丸孔と丸孔が１ｍｍ以下の間隔に密集することになる。一方、トムソン型では金型に設置する刃と刃の一番狭い間隔が２．５ｍｍとされているため、１ｍｍ以下の間隔で型抜きすることが出来ず、これを実現できない。一方、レーザー加工では金型を不要とし、１ｍｍ以下の間隔であっても加工が可能である。